(57)【特許請求の範囲】
【請求項１】
複数の画像を記憶する画像記憶手段と、
上記記憶された画像を表示する表示手段と、
上記記憶された画像を画像群として扱い、この画像群と画像群内における各画像の位置とを関連付けした表示制御をする画像群表示制御手段と、
上記表示手段に表示された画像群の表示から特定の画像の存在する位置を指定するための第１の操作部材と、
上記第１の操作部材によって指定された位置を検出する入力検出手段と、
上記入力検出手段によって入力を検出したときには、検出された位置に対応した上記画像のサムネイル画像を上記表示手段によって所定位置に表示させ、さらに、上記入力検出手段で検出された入力位置の前後に表示させる画像の密度を小さくするように変更し、上記検出された位置に対応したサムネイル画像に加え、その画像の前後に位置する画像のサムネイル画像を上記表示手段における上記画像群の表示の間に表示させるように制御する制御手段と、
を具備し、
上記制御手段は、上記入力検出手段により上記位置が検出されなくなった場合に、上記サムネイル画像に対応した全体画像を表示させるように制御することを特徴とする画像表示装置。
【請求項２】
上記サムネイル画像の表示形態を変更する表示形態変更指示手段をさらに具備し、
上記制御手段は、上記入力検出手段により上記位置が検出された後、上記表示形態が変更されていない場合には該表示形態を変更した後に、検出された上記位置に対応した画像のサムネイル画像を上記表示手段の画面上に表示させるように制御することを特徴とする請求項１に記載の画像表示装置。
【請求項３】
上記画像群表示制御手段は、上記画像群を表示させる際に、上記画像群を構成する複数の画像を、互いに少なくとも一部が重ならないように、且つ上記サムネイル画像と重ならないように表示させるように制御することを特徴とする請求項１又は２に記載の画像表示装置。
【請求項４】
上記位置の変更軌跡は、略直線態様又は略円周態様であることを特徴とする請求項１乃至３の何れか１項に記載の画像表示装置。
【請求項５】
上記画像群は、上記表示手段の画面の長手方向に沿って表示されることを特徴とする請求項１乃至３の何れか１項に記載の画像表示装置。
【請求項６】
上記入力検出手段は、上記位置を検出した後は、該位置の付近における入力分解能を変更することを特徴とする請求項１乃至５の何れか１項に記載の画像表示装置。
【発明の詳細な説明】
【技術分野】
【０００１】
本発明は、画像表示装置に関する。
【背景技術】
【０００２】
従来のデジタルカメラにおける画像表示においては、記憶媒体に記憶されている多くの画像の中から所望の画像を探し出すための手法として、記憶媒体に記憶されている画像を１枚ずつコマ送り再生をしていく手法や、記憶媒体に記憶されている画像を示すサムネイル画像をインデックス表示する手法が一般的に用いられている。
【０００３】
また、特許文献１では、３次元表示を用いた画像の重ね合わせを行い、このようにして表示された画像の中から回動操作によって所望の画像を探索する方式のグラフィカルユーザインターフェイス（ＧＵＩ）が提案されている。
【先行技術文献】
【特許文献】
【０００４】
【特許文献１】特開２００６−１０７１７０号公報
【発明の概要】
【発明が解決しようとする課題】
【０００５】
ここで、デジタル画像ではなく、印刷されてアルバム等に保存された多くの画像の中から所望の画像を探し出す際には、ユーザが、撮影時や保存時の記憶をもとにおおよその見当をつけてから所望の画像を探す探し方がされることがある。実際、このような探し方のほうが早く所望の画像を見つけ出すことが可能である。このような探し方がデジタル画像に対しても適用できれば、従来よりも簡単に且つ高速に所望の画像を探し出すことが可能であると考えられる。
【０００６】
本発明は、上記の事情に鑑みてなされたもので、デジタルカメラにおける所望の画像を探し出す煩わしさを解消し、簡単に所望の画像を探し出すことが可能な画像表示装置を提供することを目的とする。
【課題を解決するための手段】
【０００７】
上記の目的を達成するために、本発明の第１の態様の画像表示装置は、複数の画像を記憶する画像記憶手段と、上記記憶された画像を表示する表示手段と、上記記憶された画像を画像群として扱い、この画像群と画像群内における各画像の位置とを関連付けした表示制御をする画像群表示制御手段と、上記表示手段に表示された画像群の表示から特定の画像の存在する位置を指定するための第１の操作部材と、上記第１の操作部材によって指定された位置を検出する入力検出手段と、上記入力検出手段によって入力を検出したときには、検出された位置に対応した上記画像のサムネイル画像を上記表示手段によって所定位置に表示させ、さらに、上記入力検出手段で検出された入力位置の前後に表示させる画像の密度を小さくするように変更し、上記検出された位置に対応したサムネイル画像に加え、その画像の前後に位置する画像のサムネイル画像を上記表示手段における上記画像群の表示の間に表示させるように制御する制御手段とを具備し、上記制御手段は、上記入力検出手段により上記位置が検出されなくなった場合に、上記サムネイル画像に対応した全体画像を表示させるように制御することを特徴とする。
【発明の効果】
【０００８】
本発明によれば、デジタルカメラにおける所望の画像を探し出す煩わしさを解消し、簡単に所望の画像を探し出すことが可能な画像表示装置を提供することができる。
【図面の簡単な説明】
【０００９】
【図１】本発明の第１の実施形態に係る画像表示装置の一例としてのデジタルカメラの構成を示す図である。
【図２】図１に示すデジタルカメラの背面図である。
【図３】図１に示すデジタルカメラのメインの動作を示すフローチャートである。
【図４】第１の実施形態における再生モードの処理について示すフローチャートである。
【図５】先頭画像の全画面表示についての例を示す図である。
【図６】コマ送り又はコマ戻し処理について示すフローチャートである。
【図７】画像群全体表示についての例を示す図である。
【図８】画像群全体表示の第１の別の例を示す図である。
【図９】画像群全体表示の第２の別の例を示す図である。
【図１０】画像群全体表示の第３の別の例を示す図である。
【図１１】画像群全体表示の第４の別の例を示す図である。
【図１２】第１の実施形態における再生モードの処理を１コマ再生モードと画像群再生モードとに分けた場合の変形例を示すフローチャートである。
【図１３】第２の実施形態における再生モードの処理について示すフローチャートである。
【図１４】第２の実施形態における再生モードの処理を１コマ再生モードと画像群再生モードとに分けた場合の変形例を示すフローチャートである。
【図１５】第３の実施形態における再生モードの処理について示すフローチャートである。
【図１６】第３の実施形態における画像群全体表示の例を示す図である。
【図１７】第４の実施形態における再生モードの処理について示すフローチャートである。
【図１８】第４の実施形態における画像群全体表示の例を示す図である。
【図１９】第５の実施形態における画像群全体表示の例を示す図である。
【図２０】第５の実施形態における画像群全体表示の例を示す図である。
【図２１】第５の実施形態における画像群全体表示の第１の別の例を示す図である。
【図２２】第５の実施形態における画像群全体表示の第２の別の例を示す図である。
【発明を実施するための形態】
【００１０】
以下、図面を参照して本発明の実施形態を説明する。  
［第１の実施形態］
まず、本発明の第１の実施形態について説明する。図１は、本発明の第１の実施形態に係る画像表示装置の一例としてのデジタルカメラの構成を示す図である。
【００１１】
図１に示すデジタルカメラは、レンズ１０１と、撮像素子１０２と、撮像回路１０３と、データバス１０４と、ＡＦ処理回路１０５と、ＡＥ処理回路１０６と、画像処理回路１０７と、記憶媒体１０８と、表示駆動回路１０９と、表示部１１０と、タッチパネル１１１と、タッチパネル駆動回路１１２と、ＣＰＵ１１３と、内蔵メモリ１１４と、操作部材１１５と、電池１１６と、電源回路１１７とを有している。
【００１２】
レンズ１０１は、図示しない被写体の像を、撮像素子１０２に結像させるための光学系である。撮像素子１０２は、レンズ１０１を介して結像された被写体の像を電気信号（画像信号）に変換する。撮像回路１０３は、撮像素子１０２から読み出される画像信号に対してノイズ除去や増幅等のアナログ処理や、アナログ処理した画像信号をデジタル信号（画像データ）に変換する処理を行う。
【００１３】
データバス１０４は、撮像回路１０３において得られた画像データや画像処理回路１０７で処理される画像データ等の種々のデータを転送するための転送路である。
【００１４】
ＡＦ処理回路１０５は、画像データから高周波成分の信号を取り出し、積算処理により合焦評価値を取得する。ＡＥ処理回路１０６は、画像データを用いて被写体輝度を算出する。
【００１５】
画像処理回路１０７は、撮像回路１０３において得られた画像データに対して各種の画像処理を施す。この画像処理は、画像の色バランスを補正するホワイトバランス補正処理、画像の色を補正する色補正処理、画像の階調を補正する階調補正処理、画像データを圧縮又は伸張する圧縮/伸張処理等が含まれる。画像記憶手段としての機能を有する記憶媒体１０８は、例えば図１のデジタルカメラに着脱自在に構成されたメモリカードであり、画像処理回路１０７において処理された画像データを記憶する。なお、記憶媒体１０８はメモリカード等の電気的記憶媒体に限らず、ハードディスク等の磁気的記憶媒体やＤＶＤＲＯＭ等の光学的記憶媒体であっても良い。
【００１６】
表示駆動回路１０９は、ＣＰＵ１１３に制御されて表示部１１０を駆動させる。表示手段としての機能を有する表示部１１０は、例えば図２のようにしてデジタルカメラの背面に配置された液晶ディスプレイであり、表示駆動回路１０９によって駆動されて各種の画像を表示する。入力手段としての機能を有するタッチパネル１１１は、表示部１１０と一体的に設けられたタッチパネルであり、ユーザの指等の表示部１１０の画面上への接触を検出する。タッチパネル駆動回路１１２は、タッチパネル１１１によって表示部１１０の画面上への接触が検出された場合に、その接触位置に応じた信号を生成してＣＰＵ１１３に出力する。なお、図１においてはタッチパネルを例示しているが、表示部１１０の画面上の位置を指定できる操作部材であればタッチパネルを用いなくとも良い。例えば、各種のポインティングデバイスをタッチパネルの代わりに用いるようにしても良い。
【００１７】
制御手段としての機能を有するＣＰＵ１１３は、内蔵メモリ１１４に記憶されている制御プログラムに従ってデジタルカメラの各部を制御する。内蔵メモリ１１４は、ＣＰＵ１１３によって読み出される制御プログラムやデジタルカメラの各種の設定等を記憶する。
【００１８】
操作部材１１５は、ユーザが図１のデジタルカメラを操作するための各種の操作部材である。操作部材１１５の操作が検知された場合に、ＣＰＵ１１３は、操作部材１１５の操作内容に応じた制御を実行する。
【００１９】
図２は、図１に示すデジタルカメラの背面図である。本実施形態では、操作部材としてデジタルカメラに、パワーボタン１１５ａ、レリーズボタン１１５ｂ、ズームスイッチ１１５ｃ、画像群全体表示指示ボタン１１５ｄ等が設けられている。パワーボタン１１５ａは、当該デジタルカメラの電源のオンオフ指示を行うための操作部材である。パワーボタン１１５ａが押されたときに、ＣＰＵ１１３は、当該デジタルカメラの電源をオン又はオフする。レリーズボタン１１５ｂは、１ｓｔレリーズスイッチと２ｎｄレリーズスイッチの２段スイッチを有して構成されている。レリーズボタン１１５ｂが半押しされて１ｓｔレリーズスイッチがオンされた場合に、ＣＰＵ１１３は、ＡＥ処理やＡＦ処理等の撮影準備シーケンスを行う。また、レリーズボタンが全押しされて２ｎｄレリーズスイッチがオンされた場合に、ＣＰＵ１１３は撮影シーケンスを実行して撮影を行う。ズームスイッチ１１５ｃは、レンズ１０１のズーム位置を切り換えるための操作部材である。ズームスイッチ１１５ｃが操作された場合に、ＣＰＵ１１３はズームスイッチ１１５ｃの操作方向に従ってレンズ１０１を広角側又は望遠側に駆動させる。画像群全体表示指示ボタン１１５ｄは、後述する再生モードの処理において画像群全体表示指示を行うための操作部材である。
【００２０】
電池１１６は、図１に示すデジタルカメラの電源である。電源回路１１７は、電池１１６の電圧を図１に示すデジタルカメラの各部の動作に必要な電圧に変換して各部に供給する。
【００２１】
以下、図１に示すデジタルカメラの動作について説明する。図３は、図１に示すデジタルカメラのメインの動作を示すフローチャートである。図３に示す処理は、パワーオン操作、即ちパワーボタン１１５ａが押されてデジタルカメラの電源がオンされた後で実行される。
【００２２】
電源のオン後、ＣＰＵ１１３は、内部の図示しないレジスタの初期化や操作部材１１５の初期化等の初期設定を行う（ステップＳ１）。初期設定の後、ＣＰＵ１１３は、パワーオフ操作、即ちパワーボタン１１５ａが押されてデジタルカメラの電源がオフされたか否かを判定する（ステップＳ２）。ステップＳ２の判定において、パワーオフ操作がなされた場合に、ＣＰＵ１１３は、デジタルカメラの電源をオフするパワーオフ処理を行った後、図３に示す処理を終了させる。
【００２３】
一方、ステップＳ２の判定において、パワーオフ操作がなされていない場合に、ＣＰＵ１１３は、デジタルカメラの動作モードが撮影モードに設定されているか否かを判定する（ステップＳ３）。例えば、ユーザは、表示部１１０の画面上に表示されるメニュー画面においてタッチパネル１１１を操作することで撮影モードと再生モードの何れかを動作モードとして設定できる。
【００２４】
ステップＳ３の判定において、デジタルカメラの動作モードが撮影モードである場合に、ＣＰＵ１１３は、撮影モードの処理を実行する（ステップＳ４）。このステップＳ４の撮影モードの処理は本実施形態の本質とは異なるので、ここでは簡単に説明する。撮影モードの処理において、ユーザによって操作部材１１５のレリーズボタン１１５ｂが半押しされると、ＣＰＵ１１３は、ＡＦ処理及びＡＥ処理を実行する。ＡＦ処理において、ＣＰＵ１１３は、撮像素子１０２より取り込まれた画像データに基づいてＡＦ処理回路１０５で算出される合焦評価値から、撮像素子１０２に集光される被写体の像が最も鮮明になるようにレンズ１０１のフォーカスを調整する。また、ＡＥ処理において、ＣＰＵ１１３は、撮像素子１０２より取り込まれた画像データに基づいてＡＥ処理回路１０６で算出される被写体輝度に基づいて撮影時の適正な露出量を算出する。ＡＦ処理及びＡＥ処理の後、ユーザによってレリーズボタン１１５ｂが全押しされると、ＣＰＵ１１３は、適正露出量に従って撮像素子１０２の露出を制御しつつ、撮影を行う。
【００２５】
撮影モードの一連の処理の後、ＣＰＵ１１３は、撮影モードが終了されたか、即ちデジタルカメラの動作モードが再生モードに変更されたか否かを判定する（ステップＳ５）。ステップＳ５の判定において、撮影モードが終了された場合に処理がステップＳ２に戻る。この場合に、ＣＰＵ１１３は、デジタルカメラの動作モードの判定を再び行う。
【００２６】
また、ステップＳ３の判定において、デジタルカメラの動作モードが撮影モードでない、即ち再生モードである場合に、ＣＰＵ１１３は、再生モードの処理を実行する（ステップＳ６）。この再生モードの処理については後述する。再生モードの一連の処理の後、ＣＰＵ１１３は、再生モードが終了されたか、即ちデジタルカメラの動作モードが撮影モードに変更されたか否かを判定する（ステップＳ７）。ステップＳ７の判定において、再生モードが終了された場合に、処理がステップＳ２に戻る。この場合に、ＣＰＵ１１３は、デジタルカメラの動作モードの判定を再び行う。
【００２７】
ここで、再生モードの処理についてさらに説明する。図４は、再生モードの処理について示すフローチャートである。ここで、再生モードの処理に先立って、記憶媒体１０８に記憶されている複数の画像の再生順序が予め設定されているものとする。この再生順序は、記憶媒体１０８への画像の記憶順序、記憶媒体１０８に記憶されている画像の生成順序、画像の更新順序、画像の名前の順序、画像のサイズ順序の少なくとも何れかである。これらの再生順序の何れを用いるかは、例えば、ユーザがタッチパネル１１１を操作することで設定できるものである。
【００２８】
再生モードの処理が開始されると、ＣＰＵ１１３は、表示駆動回路１０９を制御して、記憶媒体１０８に記憶されている画像の中で再生順序が先頭の画像を表示部１１０に全画面表示させる（ステップＳ１１）。これにより、図５に示すようにして、先頭の画像が表示部１１０に全画面表示される。なお、再生順序が最後の画像を表示部１１０に表示させるようにしても良い。また、ステップＳ１１の処理を省略しても良い。
【００２９】
先頭の画像を表示させた後、ＣＰＵ１１３は、再生モードが終了されたか否かを判定する（ステップＳ１２）。ステップＳ１２の判定において、再生モードが終了された場合にＣＰＵ１１３は、図４の処理を抜けて図３のステップＳ７以後の処理を行う。一方、ステップＳ１２の判定において、再生モードが終了されていない場合に、ＣＰＵ１１３は、画像のコマ送り又はコマ戻しの指示がなされたか否かを判定する（ステップＳ１３）。ここで、コマ送り又はコマ戻しの指示がなされたか否かの判定は、例えば、図５の表示がなされている状態でユーザが所定の操作（例えば、表示部１１０の画面上に指等を接触させる操作）を行ったか否かを判定すれば良い。勿論、コマ送り又はコマ戻しを指示するための専用の操作部材を設けておき、この専用の操作部材の操作がなされたか否かを判定するようにしても良い。
【００３０】
ステップＳ１３の判定において、コマ送り又はコマ戻し指示がなされた場合に、ＣＰＵ１１３は、図６に示すコマ送り又はコマ戻し処理を行う（ステップＳ１４）。
【００３１】
ここで、図６を参照してコマ送り又はコマ戻し処理について説明する。コマ送り又はコマ戻し処理において、ＣＰＵ１１３は、タッチパネル駆動回路１１２の出力信号から、ユーザの指等が表示部１１０の画面上に接触しているか否かを判定する（ステップＳ３１）。ステップＳ３１の判定において、指等の接触が解除された場合には、図６の処理を抜けて、ＣＰＵ１１３は、図４のステップＳ１５以降の処理を行う。一方、ステップＳ３１の判定において、指等の接触が継続されている場合に、ＣＰＵ１１３は、タッチパネル駆動回路１１２の出力信号から、ユーザの指等の接触位置の移動が検出されたか否かを判定する（ステップＳ３２）。
【００３２】
ステップＳ３２の判定において、ユーザの指等の接触位置の移動が検出されていない場合に、ＣＰＵ１１３は、タッチパネル駆動回路１１２の出力信号から、ユーザの指等が表示部１１０の画面上に接触しているか否かを再び判定する（ステップＳ３３）。ステップＳ３３の判定において、指等の接触が解除されていない場合には、処理がステップＳ３２に戻る。この場合に、ＣＰＵ１１３は、ユーザの指等の接触位置の移動が検出されたか否かを再び判定する。また、ステップＳ３３の判定において、指等の接触が解除された場合には、図６の処理を抜けて、ＣＰＵ１１３は、図４のステップＳ１５以降の処理を行う。
【００３３】
また、ステップＳ３２の判定において、ユーザの指等の接触位置の移動が検出された場合に、ＣＰＵ１１３は、接触位置の移動方向が右方向であるか否かを判定する（ステップＳ３４）。ステップＳ３４の判定において、接触位置の移動方向が右方向である場合にはコマ送りを行う。この場合に、ＣＰＵ１１３は、表示駆動回路１０９を制御して、表示部１１０に、現在表示中の画像の次の再生順序に対応したコマの画像を表示させる（ステップＳ３５）。
【００３４】
また、ステップＳ３４の判定において、接触位置の移動方向が右方向でない場合に、ＣＰＵ１１３は、接触位置の移動方向が左方向であるか否かを判定する（ステップＳ３６）。ステップＳ３６の判定において、接触位置の移動方向が左方向である場合にはコマ戻しを行う。この場合に、ＣＰＵ１１３は、表示駆動回路１０９を制御して、表示部１１０に、現在表示中の画像の前の再生順序に対応したコマの画像を表示させる（ステップＳ３７）。
【００３５】
また、ステップＳ３６の判定において、接触位置の移動方向が左方向でない場合に、ＣＰＵ１１３は、接触位置の移動方向が上方向であるか否かを判定する（ステップＳ３８）。ステップＳ３８の判定において、接触位置の移動方向が上方向である場合に、ＣＰＵ１１３は、表示駆動回路１０９を制御して、表示部１１０に、先頭のコマに対応した画像を表示させる（ステップＳ３９）。一方、ステップＳ３６の判定において、接触位置の移動方向が上方向でない、即ち下方向である場合に、ＣＰＵ１１３は、表示駆動回路１０９を制御して、表示部１１０に、終端のコマに対応した画像を表示させる（ステップＳ４０）。
【００３６】
ステップＳ３５、Ｓ３７、Ｓ３９、Ｓ４０の何れかにおいて、画像を表示させた後、処理がステップＳ３３に移行する。そして、ＣＰＵ１１３は、タッチパネル駆動回路１１２の出力信号から、ユーザの指等が表示部１１０の画面上に接触しているか否かを判定する。
【００３７】
ここで、コマ送り又はコマ戻し処理は、図６に示した処理に限るものではない。例えば、上方向の移動が検出された場合に複数コマ（例えば１０コマ）前の再生順序に対応したコマの画像を表示させたり、下方向の移動が検出された場合に複数コマ（例えば１０コマ）後の再生順序に対応したコマの画像を表示させたりしても良い。さらには、上方向又は下方向の移動によって日付単位での表示画像の送り又は戻しを行えるようにしても良い。
【００３８】
ここで、図４の説明に戻る。ステップＳ１３の判定においてコマ送り又はコマ戻しの指示がなされていない場合、或いはステップＳ１４においてコマ送り又はコマ戻し処理が行われた後、ＣＰＵ１１３は、画像群全体表示がなされているか否かを判定する（ステップＳ１５）。ここで、画像群全体表示とは、記憶媒体１０８に記憶されている複数の画像の中からユーザが所望する画像を容易に探し出すことができるような表示を行う表示形態である。この画像群全体表示についての詳細は後述する。
【００３９】
ステップＳ１５の判定において、画像群全体表示がなされていない場合に、ＣＰＵ１１３は、画像群全体表示指示がなされたか否かを判定する（ステップＳ１６）。例えば画像群全体表示指示ボタン１１５ｄが押された場合に、画像群全体表示指示がなされたと判定する。或いは、図５の画面上の所定位置にユーザの指等が接触した場合や、図５の画面をダブルクリックした場合、図５の画面の２点にユーザの指等が接触した後にその２点の幅を縮小するような操作がなされた場合等、表示部１１０の画面上で所定の操作がなされた場合に画像群全体表示指示がなされたと判定するようにしても良い。
【００４０】
ステップＳ１６の判定において、画像群全体表示指示がなされていない場合には処理がステップＳ１２に戻る。この場合に、ＣＰＵ１１３は、再生モードが終了されたか否かを再び判定する。また、ステップＳ１６の判定において、画像群全体表示指示がなされた場合に、ＣＰＵ１１３は、表示駆動回路１０９を制御して、表示部１１０に画像群全体表示を行う（ステップＳ１７）。
【００４１】
図７を参照して画像群全体表示について説明する。画像群全体表示の際には、まず、図７（ａ）に示すような画像を表示させる。
【００４２】
図７（ａ）の例では、表示部１１０の画面上の第２の位置（図７（ａ）の例では画面上部）に、画像群全体表示の際のタッチパネル１１１の入力領域を示す領域画像２０１を表示させる。図７（ａ）では、領域画像２０１の例として、記憶媒体１０８に記録されている画像の数に対応した線画像（以下、単に線画像という）を直線状に並べて表示させている。なお、領域画像２０１として、文字や記号等のキャラクタを表示させるようにしても良い。
【００４３】
さらに、図７（ａ）の例では、領域画像２０１に隣接する表示部１１０の画面上の第１の位置（図７（ａ）の例では画面左上部）に、画像群全体表示がなされる直前まで表示部１１０の画面上に表示されていた１コマの画像に対応したサムネイル画像を基準画像２０２として表示させる。
【００４４】
ここで、詳細は後述するが、領域画像２０１として表示されている線画像は、基準画像２０２を基準とした再生順序に対応している。即ち、基準画像２０２の右隣の線画像は、基準画像２０２に対応した画像の次の再生順序の画像に対応している。また、末尾のコマの画像に対応した線画像の右隣の線画像は先頭のコマの画像に対応している。
【００４５】
図７（ａ）に示すような表示を行うことにより、ユーザは、基準画像２０２を基準として、記憶媒体１０８に記憶されている画像の大まかな再生順序を知ることが可能となる。
【００４６】
ステップＳ１７において、図７（ａ）のような表示を行った後、ＣＰＵ１１３は、タッチパネル駆動回路１１２の出力信号から、ユーザの指等が表示部１１０に表示されている領域画像２０１に接触したか否かを判定する（ステップＳ１８）。領域画像２０１への接触があるまで、ＣＰＵ１１３は、領域画像２０１への接触があるか否かの判定を継続する。
【００４７】
一方、ステップＳ１８の判定において、ユーザの指等が領域画像２０１に接触した場合に、ＣＰＵ１１３は、表示駆動回路１０９を制御して、表示部１１０の所定位置（第３の位置）に、領域画像２０１内の接触位置に応じた画像をサムネイル表示させる（ステップＳ１９）。即ち、図７（ｂ）に示すようにして領域画像２０１内の何れかの線画像にユーザの指等が接触した場合に、その線画像位置に対応したサムネイル画像２０３が表示される。
【００４８】
サムネイル表示の後、ＣＰＵ１１３は、タッチパネル駆動回路１１２の出力信号から、ユーザの指等が領域画像２０１に接触しているか否かを判定する（ステップＳ２０）。ステップＳ２０の判定において、ユーザの指等が領域画像２０１に接触している場合には処理がステップＳ１８に戻る。この場合に、ＣＰＵ１１３は、領域画像２０１にユーザの指等が接触しているか否かを再び判定する。このような処理により、例えば、ユーザの指等が領域画像２０１に沿って直線状に移動した場合には、その移動方向に従ってサムネイル画像２０３が切り替わることになる。
【００４９】
また、ステップＳ２０の判定において、領域画像２０１への接触が解除された場合に、ＣＰＵ１１３は、図７（ｃ）に示すようにして、サムネイル画像２０３に対応した画像を表示部１１０の所定位置（第４の位置）に表示させる（ステップＳ２１）。ここでは、例えばサムネイル画像２０３に対応した画像を表示部１１０に全画面表示させている。サムネイル画像２０３に対応した画像を表示部１１０の一部の位置に表示させるようにしても良い。ステップＳ２１の処理により、画像群全体表示が終了されて処理がステップＳ１２に戻る。この場合、ＣＰＵ１１３は、再生モードが終了されたか否かを再び判定する。
【００５０】
以上説明したように、第１の実施形態によれば、画像群全体表示により、ユーザが直感的に画像の再生順序を認識することが可能である。これにより、ユーザが所望する画像の大まかな位置を推測することができ、ユーザが所望する画像を比較的簡単に探し出すことが可能である。
【００５１】
ここで、図７に示した画像群全体表示は一例であり、種々の変更が可能である。以下、画像群全体表示の別の例について説明する。
【００５２】
図８は、画像群全体表示の第１の別の例を示す図である。図７（ａ）に示す例では、領域画像２０１として複数の線画像を直線状に並べて表示させている。これに対し、図８（ａ）の例では、複数の画像を画面の垂直方向に沿って重ね合わせたような画像を領域画像２０１として表示させている。図８（ａ）のような表示においても、領域画像２０１の任意の位置にユーザの指等の接触があった場合には、図８（ｂ）に示すようにして、接触位置に応じたサムネイル画像２０３を表示させる。
【００５３】
図９は、画像群全体表示の第２の別の例を示す図である。図９（ａ）に示す表示は図７（ａ）に示す表示と同様である。また、図９（ｂ）に示す表示も図７（ｂ）に示す表示と同様である。第２の別の例においては、図９（ｂ）の表示がなされている状態で、ユーザの指等が領域画像２０１から離れた場合に、図９（ｃ）に示すようにして、サムネイル画像２０３のサムネイル画像２０１ｃと、サムネイル画像２０３に対応した画像に対して前後の再生順序に対応した画像のサムネイル画像２０１ａ、２０１ｂ、２０１ｄ、２０１ｅとを表示部１１０に表示させる。
【００５４】
図９に示すような表示を行うことにより、図９（ｂ）の表示によって大まかに再生する画像の特定を行い、その後に、図９（ｃ）の表示によって詳細に再生する画像の特定を行うことができる。
【００５５】
図１０は、画像群全体表示の第３の別の例を示す図である。図７（ａ）に示す表示では、基準画像２０２を表示部１１０の画面上の左上部に表示させている。これに対し第３の別の例では、図１０（ａ）のように、基準画像２０２に対応した画像を基準とし、この基準の画像よりも前の再生順序の画像に対応した線画像を基準画像２０２の左側に表示させ、基準の画像よりも後の再生順序の画像に対応した線画像を基準画像２０２の右側に表示させている。この図１０（ａ）の表示がなされている状態で、領域画像２０１の任意の位置にユーザの指等が接触した場合には、図１０（ｂ）に示すようにして、接触位置に応じたサムネイル画像２０３を表示させる。その後、領域画像２０１への接触が解除された場合には、図１０（ｃ）に示すようにしてサムネイル画像２０３に対応した画像を全画面表示させる。その後、画像群全体表示指示がなされた場合には、図１０（ｄ）に示すようにして、図１０（ｃ）において表示された画像を新たな基準画像２０２ａとし、この基準画像２０２ａを中心として領域画像２０１を表示させる。
【００５６】
図１０のような表示を行うことにより、図７の表示よりも、ユーザが画像の再生順序の関係を理解しやすい。
【００５７】
図１１は、画像群全体表示の第４の別の例を示す図である。図７〜図１０では領域画像２０１を直線形状としている。これに対し、第４の別の例は、領域画像２０１を円形状としている。ユーザの指等が領域画像２０１に沿って円状に移動した場合には、その移動方向に従ってサムネイル画像２０３が切り替わる。
【００５８】
ここで、図１１の領域画像２０１として表示させる線画像の数は、記憶媒体１０８に記録されている画像の数より少なくしても良い。この場合には、例えば、ユーザの指等が領域画像２０１に沿って１回転する毎に次の再生順序の対応した画像群が表示されるようにする。
【００５９】
また、図４の例では、再生モード中に１コマ再生と画像群全体表示とを行う例を示している。これに対し、図１２のように１コマ再生モードと画像群再生モードとを個別に設けるようにしても良い。この場合、例えば操作部材１１５のモードダイアルを１コマ再生モードに合わせた場合には図１２のステップＳ１１から処理が開始され、その後ステップＳ１２〜Ｓ１６の間で処理がループする。一方、画像群再生モードに合わせた場合には図１２のステップＳ１７から処理が開始され、その後ステップＳ１２〜Ｓ２１の間で処理がループする。
【００６０】
［第２の実施形態］
次に、本発明の第２の実施形態について説明する。第１の実施形態においては、画像群全体表示を記憶媒体１０８に記録されている全ての画像を対象として行っている。これに対し、第２の実施形態は、連写によって撮影された一連の画像に対して画像群全体表示を行う例である。なお、デジタルカメラの構成については、図１で説明したものと同様であるので説明を省略する。また、デジタルカメラのメインの動作についても、図３で説明したものと同様であるので説明を省略する。
【００６１】
図１３は、第２の実施形態における再生モードの処理について示すフローチャートである。なお、図１３において、図４と同様の処理については図４と同様のステップ番号を付すことで説明を省略する。即ち、ステップＳ１１〜ステップＳ１４の処理は図４と同様である。
【００６２】
ステップＳ１３においてコマ送り又はコマ戻しの指示がなされていない場合、或いはステップＳ１４においてコマ送り又はコマ戻し処理が行われた後、ＣＰＵ１１３は、表示部１１０に表示中の画像が連写によって得られた一連の画像のうちの１コマであるか否かを判定する（ステップＳ４４）。ステップＳ４４の判定において、表示部１１０に表示されている画像が連写によって得られた画像でない場合には処理がステップＳ１２に戻る。この場合に、ＣＰＵ１１３は、再生モードが終了されたか否かを再び判定する。
【００６３】
一方、ステップＳ４４の判定において、表示部１１０に表示されている画像が連写によって得られた画像である場合に、ＣＰＵ１１３は、画像群全体表示指示がなされたか否かを判定する（ステップＳ４５）。ステップＳ４５の判定において、画像群全体表示指示がなされていない場合には処理がステップＳ１２に戻る。この場合に、ＣＰＵ１１３は、再生モードが終了されたか否かを再び判定する。また、ステップＳ４５の判定において、画像群全体表示指示がなされた場合に、ＣＰＵ１１３は、表示駆動回路１０９を制御して、連写によって撮影された一連の画像に対して図７等で示した画像群全体表示を行う（ステップＳ４６）。画像群全体表示を行った後、ＣＰＵ１１３は、タッチパネル駆動回路１１２の出力信号から、ユーザの指等が領域画像２０１に接触したか否かを判定する（ステップＳ４７）。ステップＳ４７の判定において、領域画像２０１への接触がない場合には、処理がステップＳ１２に戻る。この場合に、ＣＰＵ１１３は、再生モードが終了されたか否かを再び判定する。
【００６４】
また、ステップＳ４７の判定において、ユーザの指等が領域画像２０１に接触した場合に、ＣＰＵ１１３は、表示駆動回路１０９を制御して、表示部１１０の所定位置に、領域画像２０１内の接触位置に応じた画像をサムネイル表示させる（ステップＳ４８）。その後、ＣＰＵ１１３は、タッチパネル駆動回路１１２の出力信号から、ユーザの指等が領域画像２０１に接触しているか否かを判定する（ステップＳ４９）。ステップＳ４９の判定において、領域画像２０１への接触が検出されている場合には処理がステップＳ４７に戻る。この場合に、ＣＰＵ１１３は、領域画像２０１にユーザの指等が接触しているか否かを再び判定する。また、ステップＳ４９の判定において、領域画像２０１への接触が解除された場合に、ＣＰＵ１１３は、サムネイル画像２０３に対応した画像を表示部１１０に全画面表示させる（ステップＳ５０）。
【００６５】
全画面表示の後、ＣＰＵ１１３は、画像のコマ送り又はコマ戻しの指示がなされたか否かを判定する（ステップＳ５１）。ステップＳ５１の判定において、コマ送り又はコマ戻し指示がなされた場合に、ＣＰＵ１１３は、コマ送り又はコマ戻し処理を行う（ステップＳ５２）。この処理は基本的にはステップＳ１４と同一の処理である。ただし、ステップＳ１４の処理が記憶媒体１０８に記録されている全ての画像のコマ送り又はコマ戻し処理を行うものであったのに対し、ステップＳ５２の処理は連写によって撮影された一連の画像についてのみのコマ送り又はコマ戻し処理を行うものである点が異なる。
【００６６】
ステップＳ５１においてコマ送り又はコマ戻しの指示がなされていない場合、或いはステップＳ５２においてコマ送り又はコマ戻し処理が行われた後、ＣＰＵ１１３は、表示部１１０に表示中の画像が連写によって得られた一連の画像のうちの１コマであるか否かを再び判定する（ステップＳ５３）。ステップＳ５３の判定において、表示部１１０に表示されている画像が連写によって得られた画像でない場合には処理がステップＳ１２に戻る。この場合に、ＣＰＵ１１３は、再生モードが終了されたか否かを再び判定する。また、ステップＳ５３の判定において、表示部１１０に表示されている画像が連写によって得られた画像である場合に、ＣＰＵ１１３は、画像群全体表示指示がなされたか否かを再び判定する（ステップＳ５４）。ステップＳ５４の判定において、画像群全体表示指示がなされていない場合には処理がステップＳ５０に戻る。この場合に、ＣＰＵ１１３は、全画面表示を継続する。一方、ステップＳ５４の判定において、画像群全体表示指示がなされた場合には処理がステップＳ１２に戻る。この場合に、ＣＰＵ１１３は、再生モードが終了されたか否かを再び判定する。
【００６７】
以上説明したように、第２の実施形態によれば、画像群全体表示を連写によって撮影された一連の画像に対して行うことが可能である。これにより、連写によって撮影された一連の画像の中から、ユーザが所望する画像を比較的簡単に探し出すことが可能である。
【００６８】
また、図１３の例では、再生モード中に１コマ再生と画像群全体表示とを行う例を示している。これに対し、図１４のように１コマ再生モードと画像群再生モードとを個別に設けるようにしても良い。この場合、例えば操作部材１１５のモードダイアルを１コマ再生モードに合わせた場合には図１４のステップＳ１１から処理が開始され、その後ステップＳ１２〜Ｓ４７の間で処理がループする。一方、画像群再生モードに合わせた場合には図１４のステップＳ４４から処理が開始され、その後ステップＳ１２〜Ｓ５４の間で処理がループする。
【００６９】
［第３の実施形態］
次に、本発明の第３の実施形態について説明する。第３の実施形態は、記憶媒体１０８に撮影年別に記録された一連の画像に対して画像群全体表示を行う例である。なお、デジタルカメラの構成については、図１で説明したものと同様であるので説明を省略する。また、デジタルカメラのメインの動作についても、図３で説明したものと同様であるので説明を省略する。
【００７０】
図１５は、第３の実施形態における再生モードの処理について示すフローチャートである。
【００７１】
再生モードの処理が開始されると、ＣＰＵ１１３は、表示駆動回路１０９を制御して、図１６（ａ）に示すような、年別に記憶されている画像群を選択するための表紙画像３０１を表示部１１０に表示させる（ステップＳ６１）。
【００７２】
表紙画像３０１を表示させた後、ＣＰＵ１１３は、再生モードが終了されたか否かを判定する（ステップＳ６２）。ステップＳ６２の判定において、再生モードが終了された場合にＣＰＵ１１３は、図１５の処理を抜けて図３のステップＳ７以後の処理を行う。一方、ステップＳ６２の判定において、再生モードが終了されていない場合に、ＣＰＵ１１３は、年選択操作がなされたか否かを判定する（ステップＳ６３）。ここで、年選択操作とは、例えば表示部１１０に表示された何れかの表紙画像３０１にユーザの指等を接触させる操作である。ステップＳ６３の判定において、年選択操作がなされていない場合には、処理がステップＳ６２に戻る。この場合に、ＣＰＵ１１３は、再生モードが終了されたか否かを再び判定する。
【００７３】
一方、ステップＳ６３の判定において、年選択操作がなされた場合に、ＣＰＵ１１３は、表示駆動回路１０９を制御して、選択された撮影年に属する画像群に対して画像群全体表示を行う（ステップＳ６４）。第３の実施形態においては、図１６（ｂ）に示すように、選択された撮影年に対応した表紙画像のサムネイル画像を基準画像３０２として表示させる。これにより、ユーザは、領域画像２０１の各線画像が対応している画像の撮影年を瞬時に認識することが可能である。なお、図１６（ｂ）の表示は図７の表示に準じたものであるが、図８〜図１１で示した画像群全体表示に準じた表示を行うようにしても良い。
【００７４】
ステップＳ６４において、図１６（ｂ）のような表示を行った後、ＣＰＵ１１３は、タッチパネル駆動回路１１２の出力信号から、ユーザの指等が表示部１１０に表示されている領域画像２０１に接触したか否かを判定する（ステップＳ６５）。領域画像２０１への接触があるまで、ＣＰＵ１１３は、領域画像２０１への接触があるか否かの判定を継続する。
【００７５】
一方、ステップＳ６５の判定において、ユーザの指等が領域画像２０１に接触した場合に、ＣＰＵ１１３は、表示駆動回路１０９を制御して、図１６（ｃ）に示すようにして、表示部１１０の所定位置に、領域画像２０１内の接触位置に応じた画像をサムネイル表示させる（ステップＳ６６）。その後、ＣＰＵ１１３は、タッチパネル駆動回路１１２の出力信号から、ユーザの指等が領域画像２０１に接触しているか否かを判定する（ステップＳ６７）。ステップＳ６７の判定において、ユーザの指等が領域画像２０１に接触している場合には処理がステップＳ６５に戻る。この場合に、ＣＰＵ１１３は、領域画像２０１にユーザの指等が接触しているか否かを再び判定する。また、ステップＳ６７判定において、ユーザの指等の接触が解除された場合に、ＣＰＵ１１３は、図１６（ｄ）に示すようにして、サムネイル画像２０３に対応した画像を表示部１１０に全画面表示させる（ステップＳ６８）。
【００７６】
全画面表示の後、ＣＰＵ１１３は、画像のコマ送り又はコマ戻しの指示がなされたか否かを判定する（ステップＳ６９）。ステップＳ６９の判定において、コマ送り又はコマ戻し指示がなされた場合に、ＣＰＵ１１３は、コマ送り又はコマ戻し処理を行う（ステップＳ７０）。この処理は基本的には図４のステップＳ１４と同一の処理である。ただし、ステップＳ７０の処理は、ユーザによって選択された撮影年に属する画像についてのみのコマ送り又はコマ戻し処理を行うものである点が異なる。
【００７７】
ステップＳ６９においてコマ送り又はコマ戻しの指示がなされていない場合、或いはステップＳ７０においてコマ送り又はコマ戻し処理が行われた後、ＣＰＵ１１３は、画像群全体表示指示がなされたか否かを判定する（ステップＳ７１）。ステップＳ７１の判定において、画像群全体表示指示がなされていない場合には処理がステップＳ６９に戻る。この場合に、ＣＰＵ１１３は、画像のコマ送り又はコマ戻しの指示がなされたか否かを再び判定する。一方、ステップＳ７１の判定において、画像群全体表示指示がなされた場合に、ＣＰＵ１１３は、再生モードが終了されたか否かを判定する（ステップＳ７２）。ステップＳ７２の判定において、再生モードが終了されていない場合には処理がステップＳ６４に戻る。この場合に、ＣＰＵ１１３は、表示駆動回路１０９を制御して、画像群全体表示を再び行う。一方、ステップＳ７２の判定において、再生モードが終了された場合にＣＰＵ１１３は、図１５の処理を抜けて図３のステップＳ７以後の処理を行う。
【００７８】
以上説明したように、第３の実施形態によれば、撮影年毎に管理された画像群に対して画像群全体表示を行うことが可能である。これにより、撮影年毎に管理された一連の画像の中から、ユーザが所望する画像を比較的簡単に探し出すことが可能である。
【００７９】
［第４の実施形態］
次に、本発明の第４の実施形態について説明する。第４の実施形態は、領域画像２０１中にサムネイル画像を表示させるものである。なお、デジタルカメラの構成については、図１で説明したものと同様であるので説明を省略する。また、デジタルカメラのメインの動作についても、図３で説明したものと同様であるので説明を省略する。
【００８０】
図１７は、第４の実施形態における再生モードの処理について示すフローチャートである。なお、図１７において、図４と同様の処理については図４と同様のステップ番号を付すことで説明を省略する。即ち、ステップＳ１１〜ステップＳ１８の処理は図４と同様である。
【００８１】
ステップＳ１７において図１８（ａ）に示すような画像群全体表示を行った後、ステップＳ１８において、ＣＰＵ１１３は、タッチパネル駆動回路１１２の出力信号から、ユーザの指等が表示部１１０に表示されている領域画像２０１に接触したか否かを判定する。ステップＳ１８の判定において、領域画像２０１への接触がない場合には、処理がステップＳ１２に戻る。この場合に、ＣＰＵ１１３は、再生モードが終了されたか否かを再び判定する。
【００８２】
また、ステップＳ１８の判定において、ユーザの指等が領域画像２０１に接触した場合に、ＣＰＵ１１３は、画像群全体表示の表示形態の変更を行ったか否かを判定する（ステップＳ８９）。ステップＳ８９の判定において、表示形態の変更を行っていない場合に、ＣＰＵ１１３は、表示駆動回路１０９を制御して、画像群全体表示の表示形態の変更を行う（ステップＳ９０）。即ち、ユーザの指等の接触位置周辺に表示させる画像の密度を小さくするように変更する。また、これに伴ってタッチパネル１１１の入力分解能も粗くする。
【００８３】
その後、ＣＰＵ１１３は、表示駆動回路１０９を制御して、表示部１１０の所定位置に、領域画像２０１内の接触位置に応じた画像をサムネイル表示させる。また、画像の密度を小さくした部分に、サムネイル表示させた画像の前後の再生順序に対応した画像のサムネイル画像を表示させる（ステップＳ９１）。即ち、ＣＰＵ１１３は、図１８（ｂ）に示すようにして領域画像２０１中に、現在のユーザの指等が接触している位置に対応した画像のサムネイル画像２０３を基準とし、このサムネイル画像２０３に対応した画像に対して前後の再生順序に対応した画像のサムネイル画像４０１ａ、４０１ｂ、４０１ｃ、４０１ｄを表示部１１０に表示させる。このような状態で、ユーザの指等が領域画像２０１に沿って直線状に移動した場合には、その移動方向に従ってサムネイル画像２０３及びサムネイル画像４０１ａ、４０１ｂ、４０１ｃ、４０１ｄが切り替わることになる。
【００８４】
ステップＳ９１の後、ＣＰＵ１１３は、ステップＳ２０において、領域画像２０１にユーザの指等が接触しているか否かを判定する。そして、領域画像２０１への接触が解除された場合には、ステップＳ２１において、それまでに表示されていたサムネイル画像２０３に対応した画像を表示部１１０に全画面表示させる。
【００８５】
以上説明したように、第４の実施形態によれば、画像群全体表示中に領域画像２０１への接触があった場合には、領域画像２０１中に表示させる画像の密度を小さくするとともに、接触位置の周辺におけるタッチパネル１１１の入力分解能を粗くしている。これにより、第１の実施形態よりも容易にユーザが所望する画像を探し出すことが可能である。
【００８６】
［第５の実施形態］
次に、本発明の第５の実施形態について説明する。第５の実施形態は、表示部１１０の第３の位置に領域画像２０１の接触位置に応じた複数のサムネイル画像を表示させるものである。なお、デジタルカメラの構成については、図１で説明したものと同様であるので説明を省略する。また、デジタルカメラのメインの動作についても、図３で説明したものと同様であるので説明を省略する。
【００８７】
図１９は、第５の実施形態における再生モードの処理について示すフローチャートである。なお、図１９において、画像群全体表示までの処理については図示を省略している。
【００８８】
図２０（ａ）に示すような画像群全体表示の後、ＣＰＵ１１３は、タッチパネル駆動回路１１２の出力信号から、ユーザの指等が表示部１１０に表示されている領域画像２０１に接触したか否かを判定する（ステップＳ１０１）。ステップＳ１０１の判定において、領域画像２０１への接触がない場合に、ＣＰＵ１１３は、再生モードが終了されたか否かを判定する（ステップＳ１０２）。ステップＳ１０２の判定において、再生モードが終了された場合にＣＰＵ１１３は、図１９の処理を抜けて図３のステップＳ７以後の処理を行う。一方、ステップＳ１０２の判定において、再生モードが終了されていない場合に、ＣＰＵ１１３は画面への接触が検出されたか否かを再び判定する。
【００８９】
また、ステップＳ１０２の判定において、ユーザの指等が領域画像２０１に接触した場合に、ＣＰＵ１１３は、領域画像２０１内の接触位置に応じた画像Ａを特定する（ステップＳ１０３）。そして、ＣＰＵ１１３は、特定した画像Ａを表示駆動回路１０９内部の表示メモリにセットする（ステップＳ１０４）。
【００９０】
次に、ＣＰＵ１１３は、第３の位置に表示させるサムネイル画像を決定するためのパラメータｎを０に初期化する（ステップＳ１０５）。その後、ＣＰＵ１１３は、画像Ａに対して再生順序が１つ前の画像があるか否か、即ち画像Ａが先頭画像でないか否かを判定する（ステップＳ１０６）。ステップＳ１０６の判定において、画像Ａに対して再生順序が１つ前の画像がある場合に、ＣＰＵ１１３は、その再生順序が１つ前の画像を表示駆動回路１０９内部の表示メモリに追加する（ステップＳ１０７）。次に、ＣＰＵ１１３は、パラメータｎに１を加える（ステップＳ１０８）。一方、ステップＳ１０６の判定において、画像Ａに対して再生順序が１つ前の画像がない場合に、ＣＰＵ１１３はステップＳ１０７、Ｓ１０８の処理をスキップする。
【００９１】
次に、ＣＰＵ１１３は、画像Ａに対して再生順序が１つ後の画像があるか否か、即ち画像Ａが終端画像でないか否かを判定する（ステップＳ１０９）。ステップＳ１０９の判定において、画像Ａに対して再生順序が１つ後の画像がある場合に、ＣＰＵ１１３は、その再生順序が１つ後の画像を表示駆動回路１０９内部の表示メモリに追加する（ステップＳ１１０）。次に、ＣＰＵ１１３は、パラメータｎに１を加える（ステップＳ１１１）。一方、ステップＳ１０９の判定において、画像Ａに対して再生順序が１つ後の画像がない場合に、ＣＰＵ１１３はステップＳ１１０、Ｓ１１１の処理をスキップする。
【００９２】
次に、ＣＰＵ１１３は、ｎが所定値（例えば１０）を超えたか否かを判定する（ステップＳ１１２）。ステップＳ１１２の判定において、ｎが１０を超えていない場合には処理がステップＳ１０６に戻る。この場合、ＣＰＵ１１３は画像Ａに対して再生順序が１つ前の画像があるか否かを再び判定する。一方、ステップＳ１１２の判定において、ｎが１０を超えた場合に、ＣＰＵ１１３は、表示駆動回路１０９を制御して、図２０（ｂ）に示すように、表示部１１０の第３の位置に、画像Ａに対応したサムネイル画像２０３と画像Ａに対して再生順序が前後する合計ｎ枚（ここでは１０枚）の画像に対応したサムネイル画像群５０１ａ〜５０１ｉを表示させる（ステップＳ１１３）。なお、このサムネイル画像２０３とサムネイル画像群５０１ａ〜５０１ｉの表示の際には、サムネイル画像５０１ａ〜５０１ｉが互いに少なくとも一部が重ならないように、且つサムネイル画像２０３と重ならないように表示させる。このようにユーザは第３の位置に表示された全てのサムネイル画像の概要を把握することが可能である。
【００９３】
次に、ＣＰＵ１１３は、タッチパネル駆動回路１１２の出力信号から、タッチパネル駆動回路１１２の出力信号から、ユーザの指等が表示部１１０に表示されている領域画像２０１に接触したか否かを判定する（ステップＳ１１４）。ステップＳ１１４の判定において、領域画像２０１への接触があった場合には処理がステップＳ１０３に戻る。この場合に、ＣＰＵ１１３は、接触位置に応じた画像Ａの特定を再び行う。一方、ステップＳ１１４の判定において、領域画像２０１への接触がなかった場合に、ＣＰＵ１１３は、タッチパネル駆動回路１１２の出力信号から、ユーザの指等が表示部１１０に表示されているサムネイル画像５０１ａ〜５０１ｉに接触したか否かを判定する（ステップＳ１１５）。ステップＳ１１５の判定において、サムネイル画像への接触があった場合に、ＣＰＵ１１３は、接触位置に対応したサムネイル画像を前面に表示させる（ステップＳ１１６）。図２０（ｃ）にこの前面表示の例を示す。図２０（ｃ）の例はサムネイル画像５０１ａへの接触があった場合を例としている。
【００９４】
サムネイル画像の前面表示の後、ＣＰＵ１１３は、タッチパネル駆動回路１１２の出力信号から、ユーザの指等がサムネイル画像に接触しているか否かを判定する（ステップＳ１１７）。ステップＳ１１７の判定において、ユーザの指等がサムネイル画像に接触している場合には処理がステップＳ１１４に戻る。この場合に、ＣＰＵ１１３は、領域画像２０１にユーザの指等が接触しているか否かを再び判定する。
【００９５】
また、ステップＳ１１７の判定において、サムネイル画像への接触が解除された場合に、ＣＰＵ１１３は、図２０（ｄ）に示すようにして、それまで接触のあったサムネイル画像に対応した画像を表示部１１０の所定位置（第４の位置）に表示させる（ステップＳ１１８）。図２０（ｄ）の例では、例えばサムネイル画像５０１ａに対応した画像を表示部１１０に全画面表示させている。サムネイル画像５０１ａに対応した画像を表示部１１０の一部の位置に表示させるようにしても良い。サムネイル画像の表示後、処理がステップＳ１０１に戻る。
【００９６】
以上説明したように、第５の実施形態によれば、領域画像２０１への接触があった場合には、その接触位置に対応した画像のサムネイル画像と、接触位置の前後の再生順序に対応したサムネイル画像とを表示部１１０の第３の位置に表示させるようにしている。これにより、領域画像２０１中への接触によって大まかな画像の特定を行い、サムネイル画像への接触によって細かい画像の特定を行うことができる。
【００９７】
ここで、図２０の例では、領域画像２０１として複数の線画像を直線状に並べて表示させている。これに対し、図２１に示すように、複数の画像を画面の垂直方向に沿って重ね合わせたような画像を領域画像２０１として表示させるようにしても良い。
【００９８】
また、図２０の例では、サムネイル画像群５０１ａ〜５０１ｉの何れかにユーザの指等が接触すると、図２０（ｃ）のようにしてそのサムネイル画像を前面表示させている。これに対し、サムネイル画像群５０１ａ〜５０１ｉの何れかにユーザの指等が接触した場合に、前面表示を行わずに、直接、図２０（ｄ）で示すような、接触位置に対応した画像の全画面表示を行うようにしても良い。さらには、図２２で示すように、接触位置に対応したサムネイル画像に対して再生順序が前後の複数のサムネイル画像を領域画像２０１の表示領域に表示させるように表示形態の変更を行うようにしても良い。また、第４の実施形態のように、サムネイル画像群５０１ａ〜５０１ｉの何れかにユーザの指等の接触があった場合には、その周辺に表示させるサムネイル画像の密度を小さくしたり、接触位置の周辺におけるタッチパネル１１１の入力分解能を粗くするようにしたりしても良い。
【００９９】
また、図１９の処理では、画像Ａに対して再生順序が前後のｎ枚（１０枚）の画像を表示メモリに記憶させているが、画像Ａに対して再生順序が前の画像のみを表示メモリにｎ枚記憶させるようにしても良いし、画像Ａに対して再生順序が後の画像のみを表示メモリにｎ枚記憶させるようにしても良い。
【０１００】
以上実施形態に基づいて本発明を説明したが、本発明は上述した実施形態に限定されるものではなく、本発明の要旨の範囲内で種々の変形や応用が可能なことは勿論である。
【０１０１】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【符号の説明】
【０１０２】
１０１…レンズ、１０２…撮像素子、１０３…撮像回路、１０４…データバス、１０５…ＡＦ処理回路、１０６…ＡＥ処理回路、１０７…画像処理回路、１０８…記憶媒体、１０９…表示駆動回路、１１０…表示部、１１１…タッチパネル、１１２…タッチパネル駆動回路、１１３…ＣＰＵ、１１４…内蔵メモリ、１１５…操作部材、１１５ａ…パワーボタン、１１５ｂ…レリーズボタン、１１５ｃ…ズームスイッチ、１１５ｄ…画像群全体表示指示ボタン、１１６…電池、１１７…電源回路
【図１】
0005567783.tif 000002
【図２】
0005567783.tif 000003
【図３】
0005567783.tif 000004
【図４】
0005567783.tif 000005
【図５】
0005567783.tif 000006
【図６】
0005567783.tif 000007
【図７】
0005567783.tif 000008
【図８】
0005567783.tif 000009
【図９】
0005567783.tif 000010
【図１０】
0005567783.tif 000011
【図１１】
0005567783.tif 000012
【図１２】
0005567783.tif 000013
【図１３】
0005567783.tif 000014
【図１４】
0005567783.tif 000015
【図１５】
0005567783.tif 000016
【図１６】
0005567783.tif 000017
【図１７】
0005567783.tif 000018
【図１８】
0005567783.tif 000019
【図１９】
0005567783.tif 000020
【図２０】
0005567783.tif 000021
【図２１】
0005567783.tif 000022
【図２２】
0005567783.tif 000023